(57)【要約】【課題】  小容積に短縮可能であって携帯用として極めて便利であり、枕本来の心地よい感触を使用者に与えることができる携帯用枕である。【解決手段】  枕ケース１０と、そこに収容される枕本体１とよりなる携帯用枕であって、枕本体１は、中空の筒状をなす表皮３と、そこに収容される詰め物２とよりなり、表皮３は通気性および柔軟性を有して折り畳み可能な薄いシートによりなり、詰め物２は膨縮可能な低反発材よりなる【選択図】        図３
0003113949.tif 000002
【実用新案登録請求の範囲】
【請求項１】
枕ケース（１０，１１０）と、該枕ケース（１０；１１０）に収容される枕本体（１；１０１）とよりなる携帯用枕であって、
前記枕ケース（１０；１１０）は、一対のケース半体（１１，１２；１１１，１１２）をヒンジ片（１３；１１３）により開閉可能に連結し、ファスナー（１４，１１４）により開閉可能とされており、
また、前記枕本体（１；１０１）は、中空状の表皮（３；１０３）と、この表皮（３；１０３）内に収容される詰め物（２；１０２）とよりなり、前記表皮（３；１０３）は通気性および柔軟性を有して折り畳み可能な薄いシートにより構成され、また、前記詰め物（２；１０２）は、膨縮可能な低反発材により構成されていることを特徴とする、携帯用枕。
【請求項２】
前記枕本体（１；１０１）には、伸縮可能な取付帯（５；１０５）が取り付けられていることを特徴とする、前記請求項１記載の、携帯用枕。
【考案の詳細な説明】
【技術分野】
【０００１】
本考案は、携帯用枕、特に、自動車、鉄道車両、飛行機などの座席のヘッドレストに取り付けて使用するのに好適な携帯用枕に関する。
【背景技術】
【０００２】
従来、携帯用枕として、樹脂シートやゴムシートなどで作られている密閉状の空気袋よりなるものが知られている。
【考案の開示】
【考案が解決しようとする課題】
【０００３】
ところが、このような携帯用枕では、
(1) 使用する時には空気袋内に空気を封入し、また使用後は、そこから空気を排出する煩わしさがある。
【０００４】
(2) 空気圧は、本来の枕としての心地よい感触を使用者に与えることができない。
【０００５】
(3) 空気袋は、早期にピンホールができたり、接着部が剥がれたりして、耐久性に乏しい。
【０００６】
などの課題がある。
【０００７】
本考案はかかる実情に鑑みてなされたものであり、前記課題を解決した、新規な携帯用枕を提供することを目的とする。
【課題を解決するための手段】
【０００８】
上記目的を達成するために、請求項１の考案は、枕ケースと、該ケースに収容される枕本体とよりなる携帯用枕であって、
前記枕ケースは、一対のケース半体をヒンジ片により開閉可能に連結し、ファスナーにより開閉可能とされており、また、前記枕本体は、中空の筒状をなす表皮と、この表皮内に収容される詰め物とよりなり、前記表皮は通気性および柔軟性を有して折り畳み可能な薄いシートにより構成され、また、前記詰め物は、膨縮可能な低反発材により構成されていることを特徴としている。
【０００９】
また、上記目的を達成するために、請求項２の考案は、前記請求項１のものにおいて、前記枕本体には、伸縮可能な取付帯が取り付けられていることを特徴としている。
【考案の効果】
【００１０】
請求項各項の考案によれば、従来の空気袋よりなる携帯枕のような空気の出入れ操作が不要で、そのまま使用することができ、しかも小容積に短縮可能であるので、携帯用としてきわめて便利であり、また枕本体は、通気性と柔軟性のある表皮と、膨縮可能な低反発材よりなる詰め物とよりなるので、一般の定置用枕と変わらぬ枕本来の心地よい感触を使用者に与えることができる。その上、長期にわたって使用することができる。
【００１１】
また、請求項２の考案によれば、車両用座席のヘッドレストなどに取り付けて使用するのに好適である。
【考案を実施するための最良の形態】
【００１２】
本考案の実施の形態を、添付図面に例示した本考案の実施例に基づいて以下に具体的に説明する。
【００１３】
まず、図１〜６を参照して本考案の第１実施例について説明する。
【００１４】
図１は、枕本体の斜視図、図２は、図１の２−２線に沿う拡大断面図、図３は、枕本体と、枕ケースに斜視図、図４は、枕本体を枕ケースに収納する過程を示す図、図５は、携帯用枕の使用状態を示す斜視図、図６は、携帯用枕の使用状態を示す側面図である。
【００１５】
携帯用枕は、枕本体１と、この枕本体１を収容する枕ケース１０とよりなる。
【００１６】
図１，２に示すように、枕本体１は、低発泡ウレタンフォームなどの低反発材よりなる詰め物２と、その外面を被覆する布帛、合成樹脂材、皮革などの通気性と柔軟性とを有して折り畳み可能な薄いシートよりなる表皮３とより構成されている。
【００１７】
前記詰め物２は、全体が低反発材で円筒形に形成され、その自由状態では、使用者の頭部を支えるに必要な大きさを有しており、その断面積を殆ど変えずにその軸方向長さを１／２以下に短縮することが可能である。一方、表皮３は、詰め物２を自由状態で密に収容できる大きさで、中空の密閉円筒状に形成されており、その両端面の周縁は、玉縁４により縁取りされている。
【００１８】
枕本体１には、取付帯５が取り付けられている。この取付帯５は、ゴムバンドなどの伸縮体により構成されており、その両端が枕本体１の左右端縁に縫着などにより結着６されている。
【００１９】
一方、枕ケース１０は、図３に示すように、一対のケース半体１１，１２を、ヒンジ片１３により開閉可能にヒンジ連結して構成されており、それらのケース半体１１，１２の対向内面には、出入口１１ａ，１２ａが開口されていて、これらの出入口１１ａ，１２ａは、そららの開口周縁に設けた、ファスナーとしての、スライドファスナー１４によって開閉される。そして、この枕ケース１０は、図４（ｂ）に示すように、閉じられたときに円筒形をなして、その端面間の長さＬ２は、前記枕本体１の端面間の長さ（長手方向の長さ）Ｌ１の１／２以下である。また、枕ケース１０の外周面の適所には、吊り下げフック１５が設けられており、この枕ケース１０を、この吊り下げフック１５により、他の携帯物や身体に吊り下げて携帯することができる。
【００２０】
枕本体１を、枕ケース１０内に収容するには、図４（ａ）に示すように、その枕本体１をその長さ方向に圧縮する。このとき、その詰め物２が低発泡ウレタンフォームなどの膨縮性と柔軟性を有する低反発材により構成され、また、表皮３は、通気性と伸縮性を有する薄いシートにより形成されているので、詰め物２内のエアは表皮３を通して外部に容易に排出されて、枕本体１は、その自由長の１／２以下に圧縮されて枕ケース１０内に収容することができる。枕本体１を枕ケース１０内に収容したら、スライドファスナー１４を閉じることで、コンパクトな携帯用枕が得られる。
【００２１】
つぎに図５，６を参照して、本発明携帯用枕を自動車の座席に適用した一使用例について説明する。
【００２２】
自動車の座席Ｓは、通常のように、座部２０と、その座部２０にリクライニング可能に設けられる背凭れ部２１とを備えており、この背凭れ部２１の上部にヘッドレスト２２が差し込み支持される。ヘッドレスト２２の前面に、枕本体１が取り付けられる。すなわち、ヘッドレスト２２の前方に枕本体１を位置させた状態で、取付帯５をヘッドレスト２２の周囲に弾発保持させる。取付帯５は、伸縮弾性体であることから、ヘッドレスト２２に密着して外力を加えないかぎり移動することがない。また、この枕本体１を把持してこれを押し下げ、あるいは持ち上げることにより、この枕本体１をヘッドレスト２２に対して簡単に上方、あるいは下方に移動調節することができ、さらに、この枕本体１を把持して左方向、あるいは、右方向に押圧することにより、この枕本体１をヘッドレスト２２に対して簡単に左方、あるいは右方に移動調節することもできる。そして、座席Ｓに着座する乗員Ｍは、自己の頭部を支えるに最も適した位置に、枕本体１を上下、左右にに移動調節する。
【００２３】
つぎに、図７を参照して本考案の第２実施例について説明するに、図７は、枕本体と枕ケースの斜視図および枕本体を枕ケースに収納する過程を示す図である。
【００２４】
この第２実施例の枕本体１０１は、四角形の板状に形成されており、詰め物１０２と、その外周を被覆する表皮１０３より構成されている。詰め物１０２および表皮１０３の材料は、前記第１実施例のものと同じである。枕本体１０１の背面中央部両側には、ゴムバンドなどよりなる取付帯１０５の両端が結着１０６される。そして、この枕本体１０１は、図７に鎖線に示すように、１／４に折り畳んで、その容積を１／２以下に圧縮することができる。
【００２５】
一方、枕ケース１１０は、四角形の偏平状に形成されて、一対のケース半体１１１，１１２を、ヒンジ片１１３により開閉可能にヒンジ連結して構成されており、それらのケース半体１１１，１１２の対向内面には、出入口１１１ａ，１１２ａが開口されていて、これらの出入口１１１ａ，１１２ａは、それらの開口周縁に設けた、ファスナーとしての、スライドファスナー１１４によって開閉される。そして、この枕ケース１１０は、図７（ｂ）に示すように、閉じられたときに偏平な四角形状をなしている。また、枕ケース１１０の外周面の適所には、吊り下げフック１１５が設けられており、この枕ケース１１０を、この吊り下げフック１１５により、他の携帯物や身体に吊り下げて携帯することができる。
【００２６】
枕本体１０１を、枕ケース１１０内に収容するには、図７（ａ）鎖線に示すように、その枕本体１０１を１／４に折り畳み、その厚さを１／２以下に圧縮する。このとき、詰め物１０２内のエアは表皮１０３を通して外部に容易に排出される。枕本体１０１を枕ケース１１０内に収容したら、スライドファスナー１１４を閉じることで、図７（ｂ）に示すように、コンパクトな携帯用枕が得られる。
【００２７】
なお、この第２実施例において、枕ケース１１０を円筒状に形成して、平板状の枕本体１０１を巻物状に巻き込んで、枕ケース１１０内に収納するようにしてもよく、また枕ケース１１０は、多角筒形状に形成してもよい。
【００２８】
以上、本考案の実施例について説明したが、本考案はそれらの実施例に限定されることなく、本考案の範囲内で種々の実施例が可能である。
【００２９】
たとえば、枕本体および枕ケースは、円筒状、四角形状の外、角筒状など他の形状であってもよく、ファスナーは、スライドファスナーの外、面ファスナー、チャック、釦と釦孔など他の同効物であってもよく、さらに、取付帯は、ゴムバンドの外、紐条や他の同効物であってもよい。
【図面の簡単な説明】
【００３０】
【図１】枕本体の斜視図（第１実施例）
【図２】図１の２−２線に沿う拡大断面図
【図３】枕本体と、枕ケースに斜視図
【図４】枕本体を枕ケースに収納する過程を示す図
【図５】携帯用枕の使用状態を示す斜視図
【図６】携帯用枕の使用状態を示す側面図
【図７】枕本体と枕ケースの斜視図および枕本体を枕ケースに収納する過程を示す図（第２実施例）
【符号の説明】
【００３１】
１，１０１・・・・・・・・枕本体
２，１０２・・・・・・・・詰め物
３，１０３・・・・・・・・表皮
５，１０５・・・・・・・・取付帯
１０，１１０・・・・・・・・枕ケース
１１，１１１・・・・・・・・ケース半体
１２，１１２・・・・・・・・ケース半体
１３，１１３・・・・・・・・ヒンジ片
１４，１１４・・・・・・・・ファスナー（スライドファスナー）                    
【図１】
0003113949.tif 000003
【図２】
0003113949.tif 000004
【図３】
0003113949.tif 000005
【図４】
0003113949.tif 000006
【図５】
0003113949.tif 000007
【図６】
0003113949.tif 000008
【図７】
0003113949.tif 000009